(57)【特許請求の範囲】
【請求項１】
第１のユーザの名前情報及び電話番号情報を含む電話帳情報であって、前記第１のユーザとは異なるユーザである第２のユーザによって登録された電話帳情報を予め記憶するユーザ情報記憶部と、
前記第１のユーザが会員機構のサイトへ書き込んだ更新情報を取得する更新情報取得部と、
前記第１のユーザ毎に、当該第１のユーザの電話帳情報の少なくとも一部に対して、前記更新情報取得部が取得した当該第１のユーザについての更新情報を付加した情報を、第２のユーザへ提供する提供情報として生成する提供情報生成部と、
を備えることを特徴とする情報提供装置。
【請求項２】
前記電話帳情報で前記第１のユーザを識別する識別情報と、前記会員機構のサイトで前記第１のユーザを認証する識別情報が、異なることを特徴とする請求項１に記載の情報提供装置。
【請求項３】
前記更新情報取得部は、前記第１のユーザが第１の前記会員機構のサイトへ書き込んだ第１更新情報と、前記第１のユーザが第２の前記会員機構のサイトへ書き込んだ第２更新情報を取得し、
前記提供情報生成部は、前記第１のユーザ毎に、当該第１のユーザの電話帳情報の少なくとも一部に対して、前記第１更新情報、及び、前記第２更新情報を付加した情報を、第２のユーザへ提供する提供情報として生成し、
前記第１の会員機構で前記第１のユーザを認証する識別情報と、前記第２の会員機構で前記第１のユーザを認証する識別情報が、異なることを特徴とする請求項１又は２に記載の情報提供装置。
【請求項４】
複数の前記第１のユーザの名前情報が、五十音順又はアルファベット順で並べられた一覧情報を生成する一覧情報生成部を備え、
前記提供情報生成部は、前記第２のユーザが前記一覧情報に基づいて選択した第１のユーザの電話帳情報の少なくとも一部に対して、前記更新情報取得部が取得した当該第１のユーザについての更新情報を付加した情報を、第２のユーザへ提供する提供情報として生成することを特徴とする請求項１から３のいずれか一項に記載の情報提供装置。
【請求項５】
前記ユーザ情報記憶部は、第２のユーザが登録した、前記第１のユーザのメールアドレス情報を含む電話帳情報を記憶し、
前記提供情報生成部は、前記第１のユーザ毎に、当該第１のユーザのメールアドレス情報に対して、前記更新情報取得部が取得した当該第１のユーザについての更新情報を付加した情報を、第２のユーザへ提供する提供情報として生成することを特徴とする請求項１から４のいずれか一項に記載の情報提供装置。
【請求項６】
第１のユーザの名前情報及び電話番号情報を含む電話帳情報であって、前記第１のユーザとは異なるユーザである第２のユーザによって登録された電話帳情報を予め記憶するユーザ情報記憶部と、
前記第１のユーザが会員機構のサイトへ書き込んだ更新情報を取得する更新情報取得部と、
前記第１のユーザ毎に、当該第１のユーザの電話帳情報の少なくとも一部に対して、前記更新情報取得部が取得した当該第１のユーザについての更新情報を付加した提供情報を、前記第２のユーザに対して表示する表示部と、
を備えることを特徴とする携帯通信装置。
【請求項７】
前記更新情報取得部は、前記第１のユーザが第１の前記会員機構のサイトへ書き込んだ第１更新情報と、前記第１のユーザが第２の前記会員機構のサイトへ書き込んだ第２更新情報を取得し、
前記表示部は、前記第１のユーザ毎に、当該第１のユーザの電話帳情報の少なくとも一部に対して、前記第１更新情報、及び、前記第２更新情報を付加した前記提供情報を、前記第２のユーザに対して表示することを特徴とする請求項６に記載の携帯通信装置。
【請求項８】
前記表示部は、前記第１のユーザ毎に、当該第１のユーザの名前情報に対して、前記更新情報取得部が取得した当該第１のユーザについての更新情報を付加した前記提供情報を、前記第２のユーザに対して表示することを特徴とする請求項請求項６又は７に記載の携帯通信装置。
【請求項９】
前記ユーザ情報記憶部は、第２のユーザが登録した、前記第１のユーザのメールアドレス情報を含む電話帳情報を記憶し、
前記表示部は、前記第１のユーザ毎に、当該第１のユーザのメールアドレス情報に対して、前記更新情報取得部が取得した当該第１のユーザについての更新情報を付加した前記提供情報を、前記第２のユーザに対して表示することを特徴とする請求項６から８のいずれか一項に記載の携帯通信装置。
【請求項１０】
複数の前記第１のユーザの名前情報が、五十音順又はアルファベット順で並べられた一覧情報を表示する一覧情報表示部と、
前記第２のユーザが、前記一覧情報表示部が表示した一覧情報に基づいて第１のユーザを選択する選択部と、
を備え、
前記表示部は、前記選択部で選択された第１のユーザの電話帳情報の少なくとも一部に対して、前記更新情報取得部が取得した当該第１のユーザについての更新情報を付加した前記提供情報を、前記第２のユーザに対して表示することを特徴とする請求項６から９のいずれか一項に記載の携帯通信装置。
【請求項１１】
前記表示部は、前記選択部で選択された第１のユーザについて更新情報を、更新の時系列に並べて表示することを特徴とする請求項１０に記載の携帯通信装置。
【請求項１２】
第１のユーザの名前情報及び電話番号情報を含む電話帳情報であって、前記第１のユーザとは異なるユーザである第２のユーザによって登録された電話帳情報を予め記憶するユーザ情報記憶部と、
前記第１のユーザが会員機構のサイトへ書き込んだ更新情報を取得する更新情報取得部と、
前記第１のユーザ毎に、当該第１のユーザの電話帳情報の少なくとも一部に対して、前記更新情報取得部が取得した当該第１のユーザについての更新情報を付加した提供情報を生成する提供情報生成部と、
前記提供情報生成部が生成した提供情報を、第２のユーザに対して表示する表示部と、
を備えることを特徴とする情報提供システム。
【請求項１３】
サーバは、
前記第１のユーザを示す情報と前記第２のユーザの宛先を示す情報を予め記憶する提供先情報記憶部と、
前記提供先情報記憶部が記憶する情報が示す第１のユーザについての前記更新情報を、前記提供先情報記憶部が記憶する情報が示す第２のユーザの宛先へ送信する更新情報提供部と、
を備え、
前記第２のユーザの携帯通信装置は、
前記ユーザ情報記憶部と、前記更新情報取得部と、前記提供情報生成部と、
を備え、
前記更新情報取得部は、前記更新情報提供部が送信した更新情報を受信し、
前記提供情報生成部は、前記第１のユーザ毎に、当該第１のユーザの電話帳情報の少なくとも一部に対して、前記更新情報取得部が受信した当該第１のユーザについての更新情報を付加した提供情報を生成することを特徴とする請求項１２に記載の情報提供システム。
【請求項１４】
情報提供装置における情報提供方法において、
第１のユーザの名前情報及び電話番号情報を含む電話帳情報であって、前記第１のユーザとは異なるユーザである第２のユーザによって登録された電話帳情報を予め記憶させるユーザ情報記憶過程と、
更新情報取得部が、前記第１のユーザが会員機構のサイトへ書き込んだ更新情報を取得する更新情報取得部過程と、
提供情報生成部が、前記第１のユーザ毎に、当該第１のユーザの電話帳情報の少なくとも一部に対して、前記更新情報取得過程にて取得した当該第１のユーザについての更新情報を付加した情報を、第２のユーザへ提供する提供情報として生成する提供情報生成過程と、
を有することを特徴とする情報提供方法。
【請求項１５】
情報提供装置のコンピュータを、
第１のユーザの名前情報及び電話番号情報を含む電話帳情報であって、前記第１のユーザとは異なるユーザである第２のユーザによって登録された電話帳情報を予め記憶させるユーザ情報記憶手段、
前記第１のユーザが会員機構のサイトへ書き込んだ更新情報を取得する更新情報取得部手段、
前記第１のユーザ毎に、当該第１のユーザの電話帳情報の少なくとも一部に対して、前記更新情報取得過程にて取得した当該第１のユーザについての更新情報を付加した情報を、第２のユーザへ提供する提供情報として生成する提供情報生成手段、
として機能させる情報提供プログラム。
【発明の詳細な説明】
【技術分野】
【０００１】
本発明は、情報提供装置、携帯通信装置、情報提供方法、及び情報提供プログラムに関する。
【背景技術】
【０００２】
近年、インターネット等のネットワークにおいて、ブログサービスが提供されている。ブログサービスとは、提供開始当初は、ユーザが個人の日記などを簡易な方法で作成して公開することができるサービスであった。しかし、最近では、ユーザの日記に限られずに様々な話題がブログで公開されている。そこで、時系列で比較的頻繁に記録される情報についてのウェブサイト全般を含めてブログと呼ばれている。また、最近では、ユーザが気軽に自分のつぶやきを公開し、他のユーザがそのつぶやきに応答するといったブログサービスが登場している。
【０００３】
また、近年、ネットワークにおいて、ＳＮＳ（Ｓｏｃｉａｌ  Ｎｅｔｗｏｒｋｉｎｇ  Ｓｅｒｖｉｃｅ；ソーシャルネットワーキングサービス）や口コミサービスが盛んに提供されている。このＳＮＳとは、社会的ネットワークをインターネット上で提供するサービスである。また、口コミサイトは、商品、集団（例えば、企業）、サービス、ニュース他、物事に関する評判や噂を扱うサービスである。
【０００４】
ところで、上記のサービスでは、情報更新の簡易性によってサイトの更新が頻繁に行われる。ここで、サイトの更新をクライアント端末に通知する技術として、ＲＳＳ（ＲＤＦ（Ｒｅｓｏｕｒｃｅ
Ｄｅｓｃｒｉｐｔｉｏｎ Ｆｒａｍｅｗｏｒｋ） Ｓｉｔｅ Ｓｕｍｍａｒｙ、Ｒｉｃｈ Ｓｉｔｅ Ｓｕｍｍａｒｙ、またはＲｅａｌｌｙ Ｓｉｎｐｌｅ Ｓｙｎｄｉｃａｔｉｏｎ）が知られている。
また、例えば、特許文献１には、ネットワーク上の任意のＷｅｂサイトが提供するデジタルコンテンツまたはプログラムの変更を確認し、デジタルコンテンツまたはプログラムに変更があった場合に、デジタルコンテンツまたはプログラムを取得し、ユーザに取得したデジタルコンテンツまたはプログラムを配信する情報取得システムについて記載されている。
【先行技術文献】
【特許文献】
【０００５】
【特許文献１】特開２００３−１５０４８６公報
【発明の概要】
【発明が解決しようとする課題】
【０００６】
しかしながら、特許文献１の技術では、変更があったコンテンツの配信先のユーザに対して、サイトの更新者を特定する情報を提供することができないという欠点があった。
【０００７】
本発明は上記の点に鑑みてなされたものであり、サイトの更新者を確実に特定する情報を提供することができる情報提供装置、携帯通信装置、情報提供方法、及び情報提供プログラムを提供する。
【課題を解決するための手段】
【０００８】
（１）本発明は上記の課題を解決するためになされたものであり、本発明は、第１のユーザについてのユーザ情報を記憶するユーザ情報記憶部と、前記第１のユーザのネットワーク上の情報が更新されたことを示す更新情報を取得する更新情報取得部と、前記第１のユーザについてのユーザ情報、及び、前記更新情報取得部が取得した当該第１のユーザについての更新情報を、第２のユーザへ提供する提供情報として生成する提供情報生成部と、を備えることを特徴とする情報提供装置である。
【０００９】  （２）また、本発明は、上記の情報提供装置において、前記更新情報取得部は、複数の会員機構のサイトから前記更新情報を取得することを特徴とする。【００１０】
（３）また、本発明は、上記の情報提供装置において、前記提供情報生成部は、第１のユーザ毎に前記提供情報を生成することを特徴とする。
【００１１】
（４）また、本発明は、上記の情報提供装置において、前記第１のユーザについてのユーザ情報は、前記第２のユーザが更新した情報であることを特徴とする。
【００１２】
（５）また、本発明は、上記の情報提供装置において、前記ユーザ情報は、名簿情報であり、前記ユーザ情報記憶部は、複数の前記第１のユーザについての名簿情報を記憶し、前記提供情報生成部は、前記第２のユーザが選択した第１のユーザについての前記提供情報を生成することを特徴とする。
【００１３】
（６）また、本発明は、上記の情報提供装置において、前記ユーザ情報は、連絡先情報であることを特徴とする。
【００１４】  （７）また、本発明は、上記の情報提供装置において、前記第１のユーザについての更新情報は、当該第１のユーザが情報を書き込んだことを示す情報であることを特徴とする。【００１５】
（８）また、本発明は、第１のユーザについてのユーザ情報を記憶するユーザ情報記憶部と、前記第１のユーザのネットワーク上の情報が更新されたことを示す更新情報を取得する更新情報取得部と、前記第１のユーザについてのユーザ情報、及び、前記更新情報取得部が取得した当該第１のユーザについての更新情報を、第２のユーザへ提供する提供情報として生成する提供情報生成部と、前記提供情報生成部が生成した提供情報を表示する表示部と、を備えることを特徴とする携帯通信装置である。
【００１６】
（９）また、本発明は、上記の携帯通信装置において、前記表示部は、第１のユーザ毎に前記提供情報生成部が生成した提供情報を表示することを特徴とする。
【００１７】
（１０）また、本発明は、上記の携帯通信装置において、前記ユーザ情報は、電話帳情報であることを特徴とする。
【００１８】
（１１）また、本発明は、上記の携帯通信装置において、前記ユーザ情報は、名前情報を含み、前記名前情報に基づいて、前記ユーザ情報の一覧を表示する表示部を備え、前記提供情報生成部は、前記表示部が表示したユーザ情報の一覧から前記第２のユーザが選択した第１のユーザについての前記提供情報を生成することを特徴とする。
【００１９】
（１２）また、本発明は、上記の携帯通信装置において、通信をした通信先又は通信元の情報を含む通信履歴情報を記憶する通信履歴情報記憶部を備え、提供情報生成部は、前記通信履歴情報記憶部が記憶する通信履歴情報に基づいて、通信頻度が多い前記第１のユーザの順に複数の前記提供情報を並び替えた一覧情報を生成し、前記表示部は、前記提供情報生成部が生成した一覧情報を表示することを特徴とする。
【００２０】
（１３）また、本発明は、上記の携帯通信装置において、通信をした通信先又は通信元の情報、及び通信時間含む通信履歴情報を記憶する通信履歴情報記憶部を備え、提供情報生成部は、前記通信履歴情報記憶部が記憶する通信履歴情報に基づいて、通信時間が長い前記第１のユーザの順に複数の前記提供情報を並び替えた一覧情報を生成し、前記表示部は、前記提供情報生成部が生成した一覧情報を表示することを特徴とする。
【００２１】
（１４）また、本発明は、情報提供装置における情報提供方法において、更新情報取得部が、第１のユーザのネットワーク上の情報が更新されたことを示す更新情報を取得する第１の過程と、提供情報生成部が、前記第１のユーザについてのユーザ情報、及び、前記第１の過程にて取得した当該第１のユーザについての更新情報を、第２のユーザへ提供する提供情報として生成する第２の過程と、を有することを特徴とする情報提供方法である。
【００２２】
（１５）また、本発明は、上記の携帯通信装置において、情報提供装置のコンピュータを、前記第１のユーザのネットワーク上の情報が更新されたことを示す更新情報を取得する更新情報取得手段、前記第１のユーザについてのユーザ情報、及び、前記更新情報取得手段にて取得した当該第１のユーザについての更新情報を、第２のユーザへ提供する提供情報として生成する提供情報生成手段、として機能させる情報提供プログラムである。
【発明の効果】
【００２３】
本発明によれば、更新情報の更新者を確実に特定することができる。
【図面の簡単な説明】
【００２４】
【図１】本発明の実施形態に係る通信システムの概略図である。
【図２】本実施形態に係るウェブ情報提供装置の構成を示す概略ブロック図である。
【図３】本実施形態に係る送信先情報テーブルの一例を示す概略図である。
【図４】本実施形態に係る更新情報管理装置の構成を示す概略ブロック図である。
【図５】本実施形態に係る提供先情報テーブルの一例を示す概略図である。
【図６】本実施形態に係る更新情報テーブルの一例を示す概略図である。
【図７】本実施形態に係る携帯電話装置の構成を示す概略ブロック図である。
【図８】本実施形態に係るユーザ情報テーブルの一例を示す概略図である。
【図９】本実施形態に係る更新情報テーブルの一例を示す概略図である。
【図１０】本実施形態に係る通信履歴情報テーブルの一例を示す概略図である。
【図１１】本実施形態に係る更新情報一覧表示の一例を示す画面イメージである。
【図１２】本実施形態に係るユーザ情報一覧表示の一例を示す画面イメージである。
【図１３】本実施形態に係る更新情報詳細表示の一例を示す画面イメージである。
【図１４】本実施形態に係るクリッピングリスト表示の一例を示す画面イメージである。
【図１５】本実施形態に係る通信システムの動作の一例を示すシーケンス図である。
【図１６】本実施形態に係るユーザ情報一覧表示の別の一例を示す画面イメージである。
【発明を実施するための形態】
【００２５】
以下、図面を参照しながら本発明の実施形態について詳しく説明する。
【００２６】
＜通信システムの概略について＞
図１は、本発明の実施形態に係る通信システムの概略図である。この図において、通信システムは、ＰＣ（Ｐｅｒｓｏｎａｌ  Ｃｏｍｐｕｔｅｒ）Ｐ１、ウェブ情報提供装置Ａ１、Ａ２、・・・、更新情報管理装置Ｂ１、位置管理装置Ｃ１、基地局装置Ｄ１、Ｄ２、携帯電話装置Ｍ１、Ｍ２を具備する。
【００２７】
ウェブ情報提供装置Ａ１、Ａ２、・・・は、ブログサービス、ＳＮＳ（Ｓｏｃｉａｌ  Ｎｅｔｗｏｒｋｉｎｇ  Ｓｅｒｖｉｃｅ；ソーシャルネットワーキングサービス）、口コミサービス等を提供する。ウェブ情報提供装置Ａ１、Ａ２、・・・は、それぞれ異なる会員機構のサイトを提供し、ユーザはそれぞれ異なるＩＤ（識別子）を登録して、そのサイトを利用する。例えば、あるユーザは、ウェブ情報提供装置Ａ１のサイトではＩＤ「ａｂｃ１２３４５」を登録し、ウェブ情報提供装置Ａ２のサイトではＩＤ「ａｂｃ２３４５６」を登録する。
ＩＤを登録したユーザ（第１のユーザ；更新者という）は、ＰＣ  Ｐ１又は携帯電話装置Ｍ１、Ｍ２を操作して、ウェブ情報提供装置Ａ１、Ａ２、・・・のサイトにログインし、ブログへの書き込みやコメントの書き込み等を行う。
ウェブ情報提供装置Ａ１、Ａ２、・・・は、ブログへの書き込みやコメントの書き込み等によって、更新者がサイトの情報を更新すると、更新した情報（書込情報という）を更新情報管理装置Ｂ１に送信する。
【００２８】
更新情報管理装置Ｂ１は、ウェブ情報提供装置Ａ１、Ａ２、・・・から受信した書込情報に基づいて、予め登録されたＰＣ  Ｐ１又は携帯電話装置Ｍ１、Ｍ２を宛先とした更新情報を生成する。更新情報管理装置Ｂ１は、生成した更新情報を位置管理装置Ｃ１に送信する。
位置管理装置Ｃ１は、ＰＣ  Ｐ１又は携帯電話装置Ｍ１、Ｍ２のネットワーク上の位置を管理する。例えば、ＰＣ  Ｐ１の場合にはＰＣ  Ｐ１のＩＰアドレスを管理し、携帯電話装置Ｍ１、Ｍ２の場合にはエリア情報を管理する。なお、位置管理装置Ｃ１は、エリア情報に基づいて携帯電話装置Ｍ１、Ｍ２が在圏するセルの基地局装置Ｄ１、Ｄ２を特定する。
位置管理装置Ｃ１は、更新情報管理装置Ｂ１から受信した更新情報の宛先（ＰＣ  Ｐ１又は携帯電話装置Ｍ１、Ｍ２）に、更新情報を送信する。
【００２９】
ＰＣ  Ｐ１又は携帯電話装置Ｍ１、Ｍ２は、その持ち主であるユーザ（第２のユーザ）が更新（登録を含む）した更新者のユーザ情報を記憶する。ここで、ユーザ情報とは、ユーザの名前情報、あだ名、ユーザの位置情報、郵便番号、住所、読み仮名、電話番号、及びメールの宛先等である。ユーザ情報は、例えば、住所録や電話帳等の名簿情報として管理される。ＰＣ  Ｐ１又は携帯電話装置Ｍ１、Ｍ２は、記憶するユーザ情報を、文字の順序（５０音順、アルファベット順）、予め定めたグループ毎（サークル、職業別、仲が良いグループ等）、又は、通信が多い順序等に並べて表示をする。
ＰＣ  Ｐ１又は携帯電話装置Ｍ１、Ｍ２は、位置管理装置Ｃ１から受信した更新情報、及び、その情報を更新した更新者のユーザ情報、を対応づけて表示する。
【００３０】
以下、携帯電話装置Ｍ１、Ｍ２でユーザ情報と更新情報とを表示する場合について説明をするが、本発明はこれに限らず、これらの情報をＰＣ  Ｐ１で表示してもよい。また、ウェブ情報提供装置Ａ１、Ａ２、・・・を総称してウェブ情報提供装置ａ１といい、更新情報管理装置Ｂ１を更新情報管理装置ｂ１という。また、携帯電話装置Ｍ１、Ｍ２を総称して携帯電話装置ｍ１という
また、位置管理装置Ｃ１はセルラシステムの位置管理装置の一般的な公知の機能を備え、基地局装置Ｄ１、Ｄ２は基地局装置の一般的な公知の機能を備えるので、説明は省略する。
【００３１】
＜ウェブ情報提供装置ａ１について＞
図２は、本実施形態に係るウェブ情報提供装置ａ１の構成を示す概略ブロック図である。この図において、ウェブ情報提供装置ａ１は、通信部ａ１００、情報入力部ａ１１１、ウェブ情報生成部ａ１１２、書込情報記憶部ａ１１３、ウェブ情報記憶部ａ１１４、ウェブ情報提供部ａ１１５、書込情報記憶部ａ１１６、送信先情報記憶部ａ１１７を含んで構成される。
【００３２】
通信部ａ１００は、ネットワークに接続され、他の装置と通信を行う。
情報入力部ａ１１１は、ＰＣ  Ｐ１又は携帯電話装置Ｍ１、Ｍ２から通信部ａ１００を介して受信したブログへの書き込み情報やコメントの書き込み情報（書込情報という）を、ウェブ情報生成部ａ１１２に出力する。なお、この書込情報には、書き込みがされたサイトの識別情報（サイト情報という）、書き込みをした更新者のＩＤ（更新者ＩＤという）、書込みのタイトル、書込みの内容、書き込みをした日時（更新日時という）等が含まれる。
【００３３】
ウェブ情報生成部ａ１１２は、情報入力部ａ１１１から入力された書込情報から、この書込情報を含むウェブ情報を生成する。このウェブ情報は、ブラウザへの表示に用いる言語（例えば、ＨＴＭＬ；ＨｙｐｅｒＴｅｘｔ  Ｍａｒｋｕｐ  Ｌａｎｇｕａｇｅ）で記載された情報である。ウェブ情報生成部ａ１１２は、生成したウェブ情報をウェブ情報記憶部ａ１１４に記憶させる。
また、ウェブ情報生成部ａ１１２は、情報入力部ａ１１１から入力された書込情報を書込情報記憶部ａ１１３に記憶する。この書込情報は、更新前のウェブ情報と更新後のウェブ情報の差分、つまり、更新された情報である。
ウェブ情報提供部ａ１１５は、ウェブ情報記憶部ａ１１４が記憶するウェブ情報を、この情報を要求した他の装置に対して、通信部ａ１００を介して送信する。
【００３４】
書込情報提供部ａ１１６は、後述する更新情報管理装置ｂ１から通信部ａ１００を介して受信した送信先情報を送信先情報記憶部ａ１１７に記憶させる。この送信先情報は、サイト情報、更新者ＩＤ、及び送信先の宛先（送信先アドレス）が対応付けられた情報である（図３参照）。また、書込情報提供部ａ１１６は、他の装置から通信部ａ１００を介して書込情報の要求を受け付けると、その要求をした他の装置の宛先情報を送信先情報記憶部ａ１１７に記憶させる。
書込情報提供部ａ１１６は、書込情報記憶部ａ１１３が新たな書込情報を記憶すると、その書込情報に含まれるサイト情報及び更新者ＩＤを抽出する。書込情報提供部ａ１１６は、送信先情報記憶部ａ１１７から送信先情報を読み出し、抽出した更新者ＩＤと対応する送信先アドレスを選択する。書込情報提供部ａ１１６は、書込情報記憶部ａ１１３に新たに書き込まれた情報を、選択した送信先アドレスを宛先とした情報を生成する。この情報は、例えば、ＲＳＳといった文書フォーマットで記載される。書込情報提供部ａ１１６は、生成した情報を、通信部ａ１００を介して送信する。
【００３５】
図３は、本実施形態に係る送信先情報テーブルの一例を示す概略図である。この送信先情報テーブルは、送信先情報記憶部ａ１１７に記憶される。図示するように送信先情報テーブルは、サイト情報、更新者ＩＤ、及び送信先アドレスの各項目の列を有している。送信先情報テーブルは、サイト情報及び更新者ＩＤ毎に送信先情報が格納される行と列からなる２次元の表形式のデータである。なお、図３において、送信先アドレスの項目には、装置名を記載しているが、実際には、この装置名の装置のＩＰアドレスが記憶される。
例えば、図３の１行目の送信先情報は、更新者ＩＤ「ａｂｃ１２３４５」の更新者が書き込みを行った場合、その書込情報を送信先アドレス「情報管理装置Ｂ１」へ送信させることを示す。
【００３６】
＜更新情報管理装置ｂ１について＞
図４は、本実施形態に係る更新情報管理装置ｂ１の構成を示す概略ブロック図である。この図において、更新情報管理装置ｂ１は、通信部ｂ１００、提供先情報管理部ｂ１１、及び更新情報管理部ｂ１２を含んで構成される。提供先情報管理部ｂ１１は、提供先情報生成部ｂ１１１、提供先情報記憶部ｂ１１２、及び送信先情報更新部ｂ１１３を含んで構成される。更新情報管理部ｂ１２は、書込情報取得部ｂ１２２、書込情報記憶部ｂ１２３、更新情報生成部ｂ１２４、更新情報記憶部ｂ１２５、及び更新情報提供部ｂ１２６を含んで構成される。
【００３７】
通信部ａ１００は、ネットワークに接続され、他の装置と通信を行う。
提供先情報生成部ｂ１１１は、更新者情報として、更新者電話番号、サイト情報、更新者ＩＤ、及び更新情報の送信元（ウェブ情報提供装置ａ１）の宛先（送信元アドレス）を予め記憶する。提供先情報生成部ｂ１１１は、ＰＣ  Ｐ１又は携帯電話装置Ｍ１、Ｍ２から通信部ａ１００と通信部ｂ１００を介して通信を行い、後述する提供許可情報（サイト情報、ユーザ電話番号、更新者電話番号）を受信する。提供先情報生成部ｂ１１１は、記憶する更新者情報、及び受信した提供許可情報に基づいて提供先情報を生成して提供先情報記憶部ｂ１１２に記憶させる。この提供先情報は、サイト情報、更新者ＩＤ、更新情報の送信元の宛先、ユーザ電話番号、及び更新者電話番号が対応付けられた情報である（図５参照）。
また、提供先情報生成部ｂ１１１は、生成した提供先情報を送信先情報更新部ｂ１１３に出力する。
送信先情報更新部ｂ１１３は、提供先情報生成部ｂ１１１から入力された提供先情報に基づいて、送信先情報を生成する。具体的には、送信先情報更新部ｂ１１３は、提供先情報から、送信元アドレス、サイト情報、更新者ＩＤを抽出する。送信先情報更新部ｂ１１３は、抽出したサイト情報及び更新者ＩＤと、送信先アドレスとして自装置のアドレスと、を含む送信先情報を生成する。送信先情報更新部ｂ１１３は、生成した送信情報を、抽出した送信元アドレスの装置へ通信部ｂ１００を介して送信する。
【００３８】
書込情報取得部ｂ１２２は、ウェブ情報提供装置ａ１から通信部ｂ１００を介して受信した書込情報を、書込情報記憶部ｂ１２３に記憶させる。
更新情報生成部ｂ１２４は、書込情報記憶部ｂ１２３が新たな書込情報を記憶すると、その書込情報から、サイト情報、更新者ＩＤ、タイトル、内容、及び更新日時を抽出する。更新情報生成部ｂ１２４は、提供先情報記憶部ｂ１１２から提供先情報を読み出し、抽出したサイト情報及び更新者ＩＤと対応するユーザ電話番号、更新者電話番号を選択する。更新情報生成部ｂ１２４は、選択したユーザ電話番号、更新者電話番号、抽出したサイト情報、更新日時、タイトル、内容等を含む更新情報を生成する。更新情報生成部ｂ１２４は、生成した更新情報を更新情報記憶部ｂ１２５に記憶させる（図６参照）。ここで、更新情報は、その更新情報に含まれるユーザ電話番号の装置宛ての情報である。
更新情報提供部ｂ１２６は、更新情報記憶部ｂ１２５が新たな更新情報を記憶すると、その更新情報を位置管理装置Ｃ１へ通信部ｂ１００を介して送信する。
【００３９】
図５は、本実施形態に係る提供先情報テーブルの一例を示す概略図である。この提供先情報テーブルは、提供先情報記憶部ａ１１２に記憶される。図示するように提供先情報テーブルは、サイト情報、更新者ＩＤ、送信元アドレス、ユーザ電話番号、及び更新者電話番号の各項目の列を有している。提供先情報テーブルは、提供先情報が格納される行と列からなる２次元の表形式のデータである。なお、図５において、送信元アドレスの項目には、装置名を記載しているが、実際には、この装置名の装置のＩＰアドレスが記憶される。
【００４０】
例えば、図５の１行目の提供先情報は、送信元アドレス「ウェブ情報提供装置Ａ１」のサイト情報「△△ブログ」で更新者ＩＤ「ａｂｃ１２３４５」の更新者が書き込みを行った場合、その書き込みによる更新情報を、ユーザ電話番号「０９０−１２３４−ＸＸＸＸ」に送信させることを示す。また、この提供先情報は、ユーザ電話番号「０９０−１２３４−ＸＸＸＸ」に登録されている更新者ＩＤ「ａｂｃ１２３４５」の更新者の電話番号は、更新者電話番号「０９０−９８７６−ＸＸＸＸ」であることを示す。
【００４１】
図６は、本実施形態に係る更新情報テーブルの一例を示す概略図である。この更新情報テーブルは、更新情報記憶部ａ１２５に記憶される。図示するように更新情報テーブルは、ユーザ電話番号、更新者電話番号、サイト情報、更新日時、タイトル、内容の各項目の列を有している。更新情報テーブルは、更新情報が格納される行と列からなる２次元の表形式のデータである。
【００４２】
例えば、図６の１行目の更新情報は、ユーザ電話番号「０９０−１２３４−ＸＸＸＸ」の装置宛ての更新情報であり、更新者電話番号「０９０−９８７６−ＸＸＸＸ」の更新者がサイト情報「○○ブログ」のサイトで更新日時「２００９年０８月２０日  ２０時１５分３０秒」に書き込みを行ったことを示す。また、この更新情報は、その書き込みのタイトルが「ついに買いました！」であり、書き込みの内容が「今日、ついに…」であることを示す。
【００４３】
＜携帯電話装置ｍ１について＞
図７は、本実施形態に係る携帯電話装置ｍ１の構成を示す概略ブロック図である。この図において、携帯電話装置ｍ１は、入力部ｍ１１１、提供先情報更新部ｍ１１２、無線送信部ｍ１１３、ユーザ情報更新部ｍ１２１、無線受信部ｍ１２２、更新情報取得部ｍ１３１、更新情報記憶部ｍ１３２、提供情報生成部ｍ１３３、通信履歴情報記憶部ｍ１３４、ユーザ情報記憶部ｍ１３５、表示部ｍ１４４を含んで構成される。なお、携帯電話装置ｍ１は、情報提供装置ｍ１３（更新情報記憶部ｍ１３２、提供情報生成部ｍ１３３、通信履歴情報記憶部ｍ１３４、ユーザ情報記憶部ｍ１３５）を備える。
【００４４】
入力部ｍ１１１は、ユーザ操作等により入力された入力情報を、提供先情報更新部ｍ１１２、無線送信部ｍ１１３、及びユーザ情報更新部ｍ１２１に出力する。
提供先情報更新部ｍ１１２は、入力部ｍ１１１から入力された入力情報、及び無線十人部ｍ１１２から入力された情報に基づいて生成した提供許可情報を、無線送信部ｍ１１３に出力する。例えば、提供先情報更新部ｍ１１２は、更新情報の提供を受ける電話番号（ユーザ電話番号）を、無線受信部ｍ１２２を介して受信する。
提供先情報更新部ｍ１１２は、更新情報を提供するサイト情報の候補を表示部ｍ１４４に表示し、入力部ｍ１１１はその候補から更新者が選択したサイト情報を受け付ける。提供先情報更新部ｍ１１２は、入力部ｍ１１１から入力されたサイト情報、ユーザ電話番号、自装置の電話番号（更新者電話番号）を、更新情報管理装置ｂ１宛ての提供許可情報として、無線送信部ｍ１１３に出力する。なお、各サイトの更新者ＩＤは、携帯電話装置ｍ１に予め記憶させ、提供許可情報に含めて送信してもよい。
【００４５】
無線送信部ｍ１１３は、入力部ｍ１１１及び提供先情報更新部ｍ１１２から入力された情報を、変調してＤ／Ａ（デジタル／アナログ）変換する。無線送信部ｍ１１３は、Ｄ／Ａ変換した信号をアップコンバートして在圏する基地局装置Ｄ１又はＤ２に送信する。送信された信号は、基地局装置Ｄ１又はＤ２で受信され、ネットワークを介して、例えば、更新情報管理装置ｂ１に送信される。
また、無線送信部ｍ１１３は、電話やメール等の通信をした通信先の識別情報（例えば、電話番号）、通信開始時刻、及び通信終了時刻を含む通信履歴情報（図１０）を通信履歴情報記憶部ｍ１３４に記憶させる。ここで、無線送信部ｍ１１３は、例えば電子メールを送信した場合、その電子メールに対応づけてユーザ情報記憶部ｍ１３５に予め記憶された電話番号に変換して通信履歴情報記憶部ｍ１３４に記憶させる。
【００４６】
ユーザ情報更新部ｍ１２１は、入力部ｍ１１１から入力された入力情報に基づいて、ユーザ情報記憶部ｍ１３５が記憶するユーザ情報（図８）を更新（登録を含む）する。すなわち、ユーザ情報は、携帯電話装置ｍ１の持ち主であるユーザ（第２のユーザ）が更新する情報である
無線受信部ｍ１２２は、在圏する基地局装置Ｄ１又はＤ２から受信した信号を、ダウンコンバートしてＡ／Ｄ（アナログ／デジタル）変換する。無線受信部ｍ１２２は、Ａ／Ｄ変換した信号を復調し、復調した情報を表示部ｍ１１４に出力する。また、無線受信部ｍ１２２は、復調した情報が更新情報である場合、その更新情報（図９）を更新情報取得部ｍ１３１に出力する。
また、無線受信部ｍ１２２は、電話やメール等の通信をした通信元の識別情報（例えば、電話番号）、通信開始時刻、及び通信終了時刻を含む通信履歴情報（図１０）を通信履歴情報記憶部ｍ１３４に記憶させる。
【００４７】
更新情報取得部ｍ１３１は、無線受信部ｍ１２２から入力された更新情報を、更新情報記憶部ｍ１３２に記憶させる。
提供情報生成部ｍ１３３は、更新情報記憶部ｍ１３２が記憶する更新情報、及びユーザ情報記憶部ｍ１３５が記憶するユーザ情報に基づいて表示情報（図１２参照）を生成する。ここで、この表示情報は、携帯電話装置ｍ１の持ち主であるユーザ（第２のユーザ）が見る情報である。すなわち、提供情報生成部ｍ１３３は、更新者（第１のユーザ）についてのユーザ情報、及びこの更新者についての更新情報に基づいて、携帯電話装置ｍ１の持ち主であるユーザへの表示情報を生成する。
【００４８】
また、提供情報生成部ｍ１３３は、通信履歴情報記憶部ｍ１３４が記憶する通信履歴情報、更新情報記憶部ｍ１３２が記憶する更新情報、及びユーザ情報記憶部ｍ１３５が記憶するユーザ情報に基づいて一覧情報（図１１参照）を生成する。
具体的に、提供情報生成部ｍ１３３は、通信履歴情報から通信先又は通信元の電話番号を計数し、その数が多い順に電話番号を選択する。提供情報生成部ｍ１３３は、選択した電話番号に対応するユーザ情報、及び更新情報を抽出する。提供情報生成部ｍ１３３は、選択した順、つまり、通信回数が多い順にユーザ情報、及び更新情報を並び替えた一覧情報を生成する。すなわち、提供情報生成部ｍ１３３は、通信履歴情報記憶部ｍ１３４が記憶する通信履歴情報に基づいて、通信頻度が多い更新者の順に複数の表示情報を並び替えた一覧情報を生成する。
なお、本発明の一覧情報はこれに限らず、提供情報生成部ｍ１３３は、通信履歴情報記憶部ｍ１３４が記憶する通信履歴情報に基づいて、通信時間が長い更新者の順に複数の表示情報を並び替えた一覧情報を生成してもよい。具体的には、提供情報生成部ｍ１３３は、通信履歴情報の通信終了時刻と通信開始時刻との差、つまり、通信時間を計算し、電話番号毎の通信時間を集計する。提供情報生成部ｍ１３３は、集計した通信時間が多い順にユーザ情報、及び更新情報を並び替えた一覧情報を生成する。
提供情報生成部ｍ１３３は、生成した情報を表示部ｍ１４４に出力する。
【００４９】
表示部ｍ１４４は、入力部ｍ１１２、無線受信部ｍ１２２、及び表示部ｍ１４４から入力された情報（例えば、表示情報、一覧情報）を、携帯電話装置ｍ１のディスプレイに表示する。
【００５０】
図８は、本実施形態に係るユーザ情報テーブルの一例を示す概略図である。このユーザ情報テーブルは、ユーザ情報記憶部ｍ１３５に記憶される。図示するようにユーザ情報テーブルは、電話番号、名前、及びメールアドレスの各項目の列を有している。ユーザ情報テーブルは、ユーザ情報が格納される行と列からなる２次元の表形式のデータである。
例えば、図８の１列目のユーザ情報は、電話番号「０９０−９８７６−ＸＸＸＸ」のユーザは、名前が「朝倉○○」であり、メールアドレスが「ｐｑｒ１２３＠ＸＸＸＸＸ．ｊｐ」であることを示す。
【００５１】
図９は、本実施形態に係る更新情報テーブルの一例を示す概略図である。この更新情報テーブルは、更新情報記憶部ｍ１３２に記憶される。図示するように更新情報テーブルは、更新者電話番号、サイト情報、更新日時、タイトル、及び内容の各項目の列を有している。更新情報テーブルは、更新情報が格納される行と列からなる２次元の表形式のデータである。
【００５２】
例えば、図９の１行目の更新情報は、更新者電話番号「０９０−９８７６−ＸＸＸＸ」の更新者がサイト情報「○×ブログ」のサイトで更新日時「２００９年０８月２０日  ２０時０５分０７秒」に書き込みを行ったことを示す。また、この更新情報は、その書き込みのタイトルが「○○○に行ってみました」であり、書き込みの内容が「○○○にきています。…」であることを示す。
【００５３】
図１０は、本実施形態に係る通信履歴情報テーブルの一例を示す概略図である。この通信履歴情報テーブルは、通信履歴情報記憶部ｍ１３４に記憶される。図示するように通信履歴情報テーブルは、通信開始時刻、通信終了時刻、送信か受信かを示す送信／受信、送信の場合は送信先、受信の場合は送信元を示す電話番号、通信の種類（電話、メール、又はブログアクセス等）を示す通信種類の各項目の列を有している。通信履歴情報テーブルは、通信履歴情報が格納される行と列からなる２次元の表形式のデータである。
【００５４】
例えば、図１０の１行目の通信履歴情報は、通信開始時刻「２００９年０８月１９日１９時０３分３５秒」から通信終了時刻「２００９年０８月１９日１９時０５分１８秒」までの１分４３秒間、通信をしたことを示す。また、この通信履歴情報は、携帯電話装置ｍ１から「電話」を「送信」したことを示し、送信先の電話番号が「０９０−９８７６−ＸＸＸＸ」であることを示す。また、図１０の２行目の通信履歴情報は、通信開始時刻「２００９年０８月１９日１９時１８分５７秒」から通信終了時刻「２００９年０８月１９日１９時１８分５８秒」までの１秒間、通信をしたことを示す。また、この通信履歴情報は、携帯電話装置ｍ１が「メール」を「受信」したことを示し、送信元の電話番号が「０３−１２３４−ＸＸＸＸ」であることを示す。
【００５５】
また、図１０の例の通信履歴情報の場合、提供情報生成部ｍ１３３は、電話番号「０９０−９８７６−ＸＸＸＸ」と通信回数が６回、電話番号「０３−１２３４−ＸＸＸＸ」と通信回数が３回、通信を行ったと判定し、「０９０−９８７６−ＸＸＸＸ」、「０３−１２３４−ＸＸＸＸ」の順に更新情報を並び替えた一覧情報を生成する。
また、図１０の例の通信履歴情報の場合、提供情報生成部ｍ１３３は、電話番号「０９０−９８７６−ＸＸＸＸ」との通信時間を１分４８秒、電話番号「０３−１２３４−ＸＸＸＸ」との通信時間を３秒と集計する。
【００５６】
図１１は、本実施形態に係る更新情報一覧表示の一例を示す画面イメージである。この図は、ユーザ情報が図８の例であり、更新情報が図９の例であり、通信履歴情報が図１０の例である場合に、表示部ｍ１４４が表示した一覧情報を示す。この図において、携帯電話装置ｍ１に表示された画面Ｇ１には、通信回数が高い通信先の順に並び変えられた一覧情報が表示されている。
【００５７】
例えば、図１１で符号Ｉ１１を付した鎖線で囲った領域（領域Ｉ１１という）には、名前が「朝倉○○」である更新者が更新した更新情報が表示されている。具体的には、提供情報生成部ｍ１３３は、通信履歴情報から通信回数が最も多い（６回）の電話番号「０９０−９８７６−ＸＸＸＸ」を選択し、選択した電話番号に対応する名前「朝倉○○」をユーザ情報から抽出する。提供情報生成部ｍ１３３は、選択した電話番号に対応する更新日時及びタイトル（更新日時「２００９年０８月２０日２０時１５分２３秒」、タイトル「最高の本です」、及び、更新日時「２００９年０８月２０日２０時１５分３０秒」、タイトル「ついに買いました！」）を更新情報から抽出し、これらの情報を含む一覧情報を生成する。表示部ｍ１４４は、提供情報生成部ｍ１３３が生成した一覧情報のうち、これらの情報を領域Ｉ１１、つまり、上から１番目に表示する。
なお、提供情報生成部ｍ１３３は、ある電話番号に対して、予め定めた個数（例えば２個）の更新情報だけを、更新日時が新しい順に選択して一覧情報に含めてもよい。図１１の例は、図９の例の１、２番目の２個の更新情報が選択され、他の更新情報（３番目の更新情報（更新日時「２００９年０８月２０日２０時０５分０７秒」））が選択されなかったことを示す。
【００５８】
また、例えば、図１１で符号Ｉ１２を付した鎖線で囲った領域（領域Ｉ１２という）には、名前が「△△ショップ」である更新者が更新した更新情報が表示されている。具体的には、提供情報生成部ｍ１３３は、通信回数が次に多い（３回）の電話番号「０３−１２３４−ＸＸＸＸ」に対応する名前「△△ショップ」、更新日時「０３−１２３４−ＸＸＸＸ」、及びタイトル「１７時までのタイムサービス」を抽出し、これらの情報を含む一覧情報を生成する。表示部ｍ１４４は、提供情報生成部ｍ１３３が生成した一覧情報のうち、これらの情報を領域Ｉ１２、つまり、上から２番目に表示する。
なお、提供情報生成部ｍ１３３は、最新の更新日時又は現在時刻から予め定めた期間前（例えば、１日）の更新情報だけを選択して一覧情報に含めてもよい。図１１の例は、図９の例の最新の更新日時（２００９年０８月２０日１５時００分００秒）から１日前までの更新情報（４番目の更新情報）が選択され、８番目の更新情報（更新日時「２００９年０８月１８日０９時００分０４秒」）が選択されなかったことを示す。
【００５９】
図１２は、本実施形態に係るユーザ情報一覧表示の一例を示す画面イメージである。この図は、ユーザ情報が図８の例であり、更新情報が図９の例であり、通信履歴情報が図１０の例である場合に、表示部ｍ１４４が表示したユーザ情報一覧を示す。この図において、携帯電話装置ｍ１に表示された画面Ｇ２には、５０音順にユーザ情報の一覧が表示されている。
図１２で符号Ｓ２を付した鎖線で囲った領域（領域Ｓ２という）には、あ行、か行、さ行、・・・を選択するタブが表示されている。また、この図は「あ行」が選択された場合を示し、名前が「あ行」の更新者のユーザ情報が一覧表示されている。また、この図は、名前が「朝倉○○」のユーザ情報が選択された場合を示す。
【００６０】
図１２で符号Ｉ２１を付した鎖線で囲った領域（領域Ｉ２１という）には、選択された更新者のユーザ情報（電話番号「０９０−９８７６−ＸＸＸＸ」、メールアドレス「ｐｑｒ１２３＠ＸＸＸＸＸ．ｊｐ」）が表示されている。また、符号Ｉ２２を付した鎖線で囲った領域（領域Ｉ２２という）には、選択された更新者が更新した更新情報が表示されている。つまり、領域Ｉ２１、Ｉ２２には、提供情報生成部ｍ１３３が生成した表示情報が表示されている。ここで、表示されるユーザ情報には、更新者への連絡先情報が含まれている。また、符号Ｉ２２１を付した鎖線で囲った領域には、図９の例の１番目の更新情報が表示されている。
【００６１】
図１３は、本実施形態に係る更新情報詳細表示の一例を示す画面イメージである。この図は、図１２の領域Ｉ２２１に表示された文字をクリックした場合に表示される更新情報の詳細情報を示す。この図において、携帯電話装置ｍ１に表示された画面Ｇ３には、ポップアップされて表示された表示領域Ｉ３に、更新日時が「２００９年０８月２０日２０時１５分３０秒」、タイトルが「ついに買いました！」の更新情報の内容が表示されている。
また、図１３において、タイトルの行に位置するポインタＩ３１付近に、ユーザ操作により選択することができるメニュー「クリップ」が表示されている。この「クリップ」が選択された場合、携帯電話装置ｍ１は、この更新情報をクリップ情報記憶部（図示せず）に記憶する。携帯電話装置ｍ１は、ユーザ操作により、クリップ情報記憶部に記憶した更新情報、又はその一覧（クリッピングリスト）を表示する。
【００６２】
図１４は、本実施形態に係るクリッピングリスト表示の一例を示す画面イメージである。この図において、携帯電話装置ｍ１に表示された画面Ｇ４には、クリップされた更新情報の一覧、つまり、クリッピングリストが表示されている。
例えば、符号Ｉ４１を付した鎖線の領域には、図１３の例で表示された更新情報の詳細情報の更新日時「２００９年０８月２０日２０時１５分」、サイト情報「○○ブログ」、名前「朝倉○○」、及び、タイトル「ついに買いました！」が表示されている。なお、このタイトル「ついに買いました！」を選択した場合、図１３の画面が表示される。
【００６３】
＜通信システムの動作について＞
図１５は、本実施形態に係る通信システムの動作の一例を示すシーケンス図である。
（ステップＳ１０１）携帯電話装置Ｍ１は、携帯電話装置Ｍ１の持ち主の操作（ユーザ操作）に基づいて、携帯電話装置Ｍ２の持ち主（更新者）のユーザ情報を記憶する。その後、ステップＳ１０２に進む。
（ステップＳ１０２）携帯電話装置Ｍ１は、ユーザ操作に基づいて、記憶する複数のユーザ情報の中から、ステップＳ１０１で登録した更新者のユーザ情報を選択する。携帯電話装置Ｍ１は、選択したユーザ情報から携帯電話装置Ｍ２の宛先を選択し、選択した宛先へ自装置の電話番号（ユーザ電話番号）を送信する。その後、ステップＳ１０３に進む。
【００６４】
（ステップＳ１０３）携帯電話装置Ｍ２は、ステップＳ１０２で送信されたユーザ電話番号を受信する。また、携帯電話装置Ｍ２は、携帯電話装置Ｍ２の持ち主（更新者）の捜査に基づいて、そのユーザ電話番号の携帯電話装置に提供するサイト情報を選択する。ここで、更新者は、例えば、携帯電話装置Ｍ２に表示されたサイト情報の一覧から、更新情報を提供するサイト情報を選択する。携帯電話装置Ｍ２は、選択したサイト情報、受信したユーザ電話番号、及び、自装置の電話番号（更新者電話番号）を、提供許可情報として生成する。携帯電話装置Ｍ２は、生成した提供許可情報を更新情報管理装置ｂ１へ送信する。その後、ステップＳ１０４に進む。
（ステップＳ１０４）更新情報管理装置ｂ１は、ステップＳ１０３で送信された提供許可情報を受信する。更新情報管理装置ｂ１は、予め記憶する更新者情報と、受信した提供許可情報に基づいて、提供先情報を生成して記憶する。その後、ステップＳ１０５に進む。
【００６５】
（ステップＳ１０５）更新情報管理装置ｂ１は、提供先情報に基づいて送信先情報を生成し、ウェブ情報提供装置ａ１へ送信する。その後、ステップＳ１０６に進む。
（ステップＳ１０６）ウェブ情報提供装置ａ１は、ステップＳ１０５で送信された送信先情報で、記憶する送信先情報を更新する。その後、ステップＳ１０７に進む。
【００６６】
（ステップＳ１０７）携帯電話装置Ｍ２は、更新者の操作に基づいてウェブ情報の書き込みを行う。その後、ステップＳ１０８に進む。
（ステップＳ１０８）ウェブ情報提供装置ａ１は、ステップＳ１０７で書き込まれた書込情報を抽出し、抽出した書込情報を送信先情報の送信先、つまり、更新情報管理装置ｂ１へ送信する。その後、ステップＳ１０９へ進む。
（ステップＳ１０９）更新情報管理装置ｂ１は、ステップＳ１０８で送信された書込情報を受信し、受信した書込情報に基づいて更新情報を生成する。更新情報管理装置ｂ１は、生成した更新情報を、ステップＳ１０４で記憶した提供先情報の提供先、つまり、携帯電話装置Ｍ１へ送信する。その後、ステップＳ１１０に進む。
【００６７】
（ステップＳ１１０）携帯電話装置Ｍ１は、ステップＳ１０９で送信された更新情報を取得する。その後、ステップＳ１１１に進む。
（ステップＳ１１１）携帯電話装置Ｍ１は、ステップＳ１０１で記憶したユーザ情報、つまり、更新者のユーザ情報に基づいて、ステップＳ１１０で取得した更新情報を表示する。
【００６８】
このように、本実施形態によれば、ユーザ情報記憶部ｍ１３５は更新者についてのユーザ情報を記憶し、更新情報取得部ｍ１３１は更新者のネットワーク上の情報が更新されたことを示す更新情報を取得する。また、提供情報生成部ｍ１３３は更新者についてのユーザ情報、及び、更新情報取得部ｍ１３１が取得した当該更新者についての更新情報を、携帯電話装置ｍ１の持ち主であるユーザへ提供する提供情報として生成し、表示部ｍ１１４は更新情報取得部ｍ１３１が生成した提供情報を表示する。これにより、本実施形態では、携帯電話装置ｍ１は、サイトの更新者を確実に特定する情報を提供することができ、ユーザが更新情報とその更新情報の更新者とを迅速かつ確実に知ることができる。
【００６９】
また、本実施形態によれば、更新情報取得部ｍ１３１は、複数のサイトから更新情報を取得するので、複数のサイトで更新された更新情報を一箇所（情報提供装置ｍ１）で管理することができる。
また、本実施形態によれば、提供情報生成部ｍ１３３は更新者毎に提供情報を生成するので、ユーザは更新者毎に更新情報を管理することができる。例えば、ユーザ毎に、複数のサイトで更新されたある更新情報を管理することができる。
また、本実施形態によれば、携帯電話装置ｍ１が更新情報を取得して更新情報記憶部ｍ１３２に記憶するので、携帯電話装置ｍ１はウェブ情報提供装置ａ１にアクセスしなくても、更新情報を表示することができる。  
【００７０】
また、本実施形態によれば、更新者についてのユーザ情報は、携帯電話装置ｍ１の持ち主であるユーザが更新した情報である。これにより、本実施形態では、携帯電話装置ｍ１は、その持ち主であるユーザが更新したユーザ情報と更新情報とを対応づけて表示することができるので、サイトの更新者を確実に特定する情報を提供することができる。また、携帯電話装置ｍ１の持ち主であるユーザ本人が更新したユーザ情報であるので、ユーザが更新者を迅速かつ確実に特定することができる。また、本実施形態によれば、携帯電話装置ｍ１は、更新者が更新ＩＤ等のサイトへのログイン情報を教えなくても、サイトの更新者を確実に特定する情報を提供することができる。
また、本実施形態によれば、ユーザ情報は連絡先情報であるので、更新情報を参照したユーザが更新者の連絡先を迅速に知ることができ、連絡をすることができる。
【００７１】
また、本実施形態によれば、表示部ｍ１１４は更新者毎に提供情報生成部ｍ１３３が生成した提供情報を表示するので、更新者毎に更新情報を集約して表示することができる。よって、ユーザは、更新者毎に更新情報を管理することができる。
また、本実施形態によれば、表示部ｍ１１４は名前情報（氏名）に基づいて、ユーザ情報の一覧を表示し、提供情報生成部ｍ１３３は、表示部ｍ１１４が表示したユーザ情報の一覧からユーザが選択した更新者についての提供情報を生成する。これにより、本実施形態では、携帯電話装置ｍ１は、更新者の名前情報一覧を表示して、名前情報毎に更新情報を表示することができる。
【００７２】
また、本実施形態によれば、通信履歴情報記憶部ｍ１３４は通信をした通信先又は通信元の情報を含む通信履歴情報を記憶し、提供情報生成部ｍ１３３は通信履歴情報記憶部ｍ１３４が記憶する通信履歴情報に基づいて、通信頻度が多い更新者の順に複数の提供情報を並び替えた一覧情報を生成し、表示部ｍ１１４は提供情報生成部ｍ１３３が生成した一覧情報を表示する。これにより、本実施形態では、ユーザは通信頻度が多い更新者の更新者情報を迅速に知ることができる。
なお、提供情報生成部ｍ１３３が、通信時間が長い更新者の順に複数の前記提供情報を並び替えた一覧情報を生成する場合、ユーザは通信時間が長い更新者の更新者情報を迅速に知ることができる。
【００７３】
また、本実施形態によれば、図１５の携帯電話装置Ｍ１は、予め記憶した複数のユーザ情報から選択したユーザ情報のユーザが持つ携帯電話装置の更新情報を取得する。つまり、携帯電話装置Ｍ１が更新情報を取得するためには、ユーザ情報を記憶することが必要である。一方、ユーザ情報を記憶した場合、そのユーザ情報のユーザへ電話やメール等での通信を取り易くなる。
例えば、本実施形態に係る通信システムを用いることで、商品やサービスを提供する業者は、割引情報等の特典を掲載する更新情報を提供する代わりに、業者のユーザ情報を携帯電話装置Ｍ１に登録させ、携帯電話装置Ｍ１の持ち主が業者との通信を取り易い状態にすることができる。
【００７４】
なお、上記実施形態において、提供情報生成部ｍ１３３は更新者毎のユーザ情報に加えて、更新者と送受信をしたメールの情報、及び更新情報を、提供情報として提供し、表示部ｍ１４４に表示させてもよい。これにより、携帯電話装置ｍ１は、更新者毎の情報を集約して提供することができる。
【００７５】
また、上記実施形態において、携帯電話装置ｍ１が情報提供装置ｍ１３を具備する場合について説明をしたが、本発明はこれに限らず、ネットワーク上のサーバが情報提供装置ｍ１３を具備し、携帯電話装置ｍ１に提供情報を送信してもよい。
また、上記実施形態において、携帯通信装置が携帯電話装置ｍ１である場合について説明したが、本発明はこれに限らず、ＰＣ、ＰＤＡ（Ｐｅｒｓｏｎａｌ  Ｄｉｇｉｔａｌ  Ａｓｓｉｓｔａｎｔ）等の携帯端末であってもよいし、画像再生装置、音楽再生装置、又はゲーム機であってもよい。
【００７６】
また、上記実施形態において、提供許可情報には、提供範囲の設定情報を含めてもよい。例えば、提供範囲として、提供先のユーザを分類したグループ（グループ１或いはグループ２、又は、プライベート或いは会社等）を含めてもよい。この場合、更新者は、ウェブ情報の書き込みの際、更新情報の提供範囲を選択する。更新情報管理装置ｂ１は、書き込みの際に選択された提供範囲が設定情報の提供範囲に含まれる場合、その提供先に更新情報を提供する。
【００７７】
図１６は、本実施形態に係るユーザ情報一覧表示の別の一例を示す画面イメージである。この図は、アルファベット順に名簿情報を管理する場合の画面イメージである。この図は、アルファベット「Ａ」が選択され、さらに、名前が「Ａｓａｋｕｒａ」のユーザ情報が選択された場合を示す。この図では、名前が「Ａｓａｋｕｒａ」のユーザ情報と、更新情報とが表示されている。
【００７８】
なお、上述した実施形態におけるウェブ情報提供装置ａ１、更新情報管理装置ｂ１、携帯電話装置ｍ１、情報提供装置ｍ１３の一部、例えば、提供先情報更新部ｍ１１２、ユーザ情報更新部ｍ１２１、更新情報取得部ｍ１３１、提供情報生成部ｍ１３３、表示部ｍ１４４をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、情報提供装置ａ１、更新情報管理装置ｂ１、携帯電話装置ｍ１、情報提供装置ｍ１３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８０】
Ｐ１・・・ＰＣ、Ａ１、Ａ２、ａ１・・・ウェブ情報提供装置、Ｂ１、ｂ１・・・更新情報管理装置、Ｃ１・・・位置管理装置、Ｄ１、Ｄ２・・・基地局装置、Ｍ１、Ｍ２、ｍ１・・・携帯電話装置、ａ１００・・・通信部、ａ１１１・・・情報入力部、ａ１１２・・・ウェブ情報生成部、ａ１１３・・・書込情報記憶部、ａ１１４・・・ウェブ情報記憶部、ａ１１５・・・ウェブ情報提供部、ａ１１６・・・書込情報記憶部、ａ１１７・・・送信先情報記憶部、ｂ１００・・・通信部、ｂ１１・・・提供先情報管理部、ｂ１２・・・更新情報管理部、ｂ１１１・・・提供先情報生成部、ｂ１１２・・・提供先情報記憶部、ｂ１１３・・・送信先情報更新部、ｂ１２２・・・書込情報取得部、ｂ１２３・・・書込情報記憶部、ｂ１２４・・・更新情報生成部、ｂ１２５・・・更新情報記憶部、ｂ１２６・・・更新情報提供部、ｍ１１１・・・入力部、ｍ１１２・・・提供先情報更新部、ｍ１１３・・・無線送信部、ｍ１２１・・・ユーザ情報更新部、ｍ１２２・・・無線受信部、ｍ１３１・・・更新情報取得部、ｍ１３２・・・更新情報記憶部、ｍ１３３・・・提供情報生成部、ｍ１３４・・・通信履歴情報記憶部、ｍ１３５・・・ユーザ情報記憶部、ｍ１４４・・・表示部、ｍ１３・・・情報提供装置
【図１】
0005481609.tif 000002
【図２】
0005481609.tif 000003
【図３】
0005481609.tif 000004
【図４】
0005481609.tif 000005
【図５】
0005481609.tif 000006
【図６】
0005481609.tif 000007
【図７】
0005481609.tif 000008
【図８】
0005481609.tif 000009
【図９】
0005481609.tif 000010
【図１０】
0005481609.tif 000011
【図１１】
0005481609.tif 000012
【図１２】
0005481609.tif 000013
【図１３】
0005481609.tif 000014
【図１４】
0005481609.tif 000015
【図１５】
0005481609.tif 000016
【図１６】
0005481609.tif 000017